(57)【要約】 【課題】  本発明は、各種屋根の建物において、多種の設置物を確実かつ安全に取り付けることができる装置を提供することを目的とする。 【解決手段】  屋根の法面の上下位置方向に挟合する取付部材１の中央部に底面部から上面部に螺子２，３を突設し、この両螺子間に支板４を架設し、法面の上下方向に架設する基台材５の左右両側部の上端部に凹凸面６を形成し、この凹凸面の一つに係合する凹部８を設けた冂形材７には前記取付部材から突設する螺子を締着し、前記基台材上の適所に凵形支持部材９を左右両側部に補助材１６を付設して設け、前記支持部材及び左右補助材の各底面部は螺子１７，１８を締着し、前記支持部材の両側部間に支管材１４を設置して成る建物上設置物の取付装置。【選択図】    図５
2019082044.tif 000002
【特許請求の範囲】
【請求項１】
屋根の法面の上下位置方向に挟合する取付部材の中央部に底面部から上面部に螺子を突設し、この両螺子間に支板を架設し、法面の上下方向に架設する基台材の左右両側部の上端部に凹凸面を形成し、この凹凸面の一つに係合する凹部を設けた冂形材には前記取付部材から突設する螺子を締着し、前記基台材上の適所に凵形支持部材を左右両側部に補助材を付設して設け、前記支持部材及び左右補助材の各底面部は螺子を締着し、前記支持部材の両側部間に支管材を設置して成ることを特徴とする建物上設置物の取付装置。
【請求項２】
屋根の法面の上下位置方向に挟合する取付部材の中央部に底面部から上面部に螺子を突設し、この両螺子間に支板を架設し、法面の上下方向に架設する基台材の左右両側部の上端部に凹凸面を形成し、この凹凸面の一つに係合する凹部を設けた冂形材には前記取付部材から突設する螺子を締着し、前記基台材上に左右側板に水平溝部を設けた取付板材を設置し、この取付板材の水平溝部に雪止め用Ｌ形材を嵌挿して成ることを特徴とする建物上設置物の取付装置。
【請求項３】
屋根の法面の上下位置方向に挟合する取付部材の中央部に底面部から上面部に螺子を突設し、この両螺子間に支板を架設し、法面の上下方向に架設する基台材の左右両側部の上端部に凹凸面を形成し、この凹凸面の一つに係合する凹部を設けた冂形材には前記取付部材から突設する螺子を締着し、前記基台材上に底板を介して管材を設置し、この管材に大型看板等の取付部材を取付けるようにして成ることを特徴とする建物上設置物の取付装置。
【発明の詳細な説明】
【技術分野】
【０００１】
本発明は、建物上設置物の取付装置に関するものである。
【背景技術】
【０００２】
今日、建物における屋根やその周辺部には各種の部材を設置しなければならない場合があるため、そのための取付器具や装置に関する創作がいろいろなされているところ、例えばソーラーパネルを屋根上に設置固定する器具としては、次のようなものが公知となっている。
【先行技術文献】
【特許文献】
【０００３】
【特許文献１】特開２０１３−２４９６５２号公報
【特許文献２】特開２０１６−１５１１８号公報
【０００４】
特許文献１は、横葺屋根用設置部材において、横葺屋根の嵌合部に取付けてレール材を固定するための固定金具と嵌合部と交差する方向へ延伸し固定金具によって固定するレール材とを備え、固定金具は嵌合部の屋根材と屋根材との間に挟み込みながら、屋根の下地材に取付ける取付部と嵌合部に沿うように幅方向へ突起してレール材と接する当接面の両端に、レール材の長手方向へ伸びた長孔又は切り欠きを形成した当接部とを有し、レール材はその両端に長手方向へ伸びた切り欠き又は長孔を連続して形成し、固定金具の長孔又は切り欠きとレール材の切り欠き又は長孔とに連結具を通して固定金具とレール材を連結させるように構成したものであるが、レール材に設けられている切り欠き部はあくまでもレール材の左右両端部が長手方向に伸びたもので、その適当位置に螺子を介して調整可能に選択するだけのものである。
【０００５】
特許文献２は、設置物の被設置物に対する固定位置を調整可能とする固定器具にあって、水平に長いベース部から立設した第１金具の立設部の縦片の両端部からそれぞれ横方向に突出する側片の端縁には凹凸状に成る係合部を形成し、この係合部は対抗する第２金具の横片に設ける被係合部と係合するように成り、これによって固定金具に対する高さを調整するようにしているが、前記凹凸状の係合部は単にそれだけの機能のものである。
【発明の概要】
【発明が解決しようとする課題】
【０００６】
そこで、本発明は、各種屋根の建物において、多種の設置物を確実かつ安全に取り付けることができる装置を提供することを目的とするものである。
【課題を解決するための手段】
【０００７】
本発明は、各種屋根の法面の上下位置方向に左右間隔をおいて挟合する取付部材の中央部に底面部から上面部に螺子を突設し、この両螺子間に支板を架設し、法面の上下方向に架設する基台材の左右両側部の上端部に凹凸面を形成し、この凹凸面の一つに係合する凹部を設けた冂形材には前記取付部材から突設する螺子を締着して成るものである。
【０００８】
次に、このように構成した各種屋根において、前記基台材上の適所に凵形支持部材をその左右両側部に補助材を付設して設け、前記支持部材の左右両側部には水平孔と垂直孔とを設け、この水平孔間と垂直孔間にはそれぞれ長螺子を架設し、前記支持部材及び左右補助材の各底面部は螺子にて固定し、前記支持部材の両側部間に支管材を設置し、この支管材に前記水平孔及び垂直孔に各架設した長螺子を嵌挿固定するようにして成るものであり、ＴＶアンテナ等の取付けには有効な手段となる。
【０００９】
また、前記のように構成した各種屋根において、前記基台材上の適所にＬ形雪止め具の取付部材を設置して成るものでは、長尺のＬ形杆の架設取付けには有効な手段となる。
【００１０】
また、このように構成した各種屋根において、前記基台材上の適所に大看板等の取付け用の部材を設置して成るもので、大看板等の取付けには有効な手段となる。
【発明の効果】
【００１１】
本発明手段によれば、各種屋根の法面上においてＴＶアンテナなどのような重量ある部材でも、その取付け用支管材において確実かつ安全に固定支持することができ、その部材の傾斜角度についても自在に調整することができるようになるのである。
【００１２】
また、各種屋根の法面上において、長尺の雪止め用Ｌ形材を架設することは、そのための取付板材を設置することによって、確実かつ安全にできるのである。
【００１３】
さらに、各種屋根の法面上において大型看板等を設置することも、そのための角管材その他の取付部材の設置によって、確実かつ安全にすることができるのである。
【図面の簡単な説明】
【００１４】
【図１】横葺屋根面の斜視図
【図２】図１における基礎取付金具の取付状態図
【図３】図２におけるその後の基礎取付金具の取付状態図
【図４】図３における取付金具Ａの取付状態図
【図５】図４における取付金具Ａ全部の斜視図
【図６】図４における取付金具Ａ全部の平面図
【図７】図４における取付金具Ａ全部の側面図
【図８】図４における取付金具Ａ全部の正面図
【図９】図３における取付金具Ｂ全部の斜視図
【図１０】図３における取付金具Ｂ全部の平面図
【図１１】図３における取付金具Ｂ全部の正面図
【図１２】図３における取付金具Ｃ全部の斜視図
【図１３】図１２における取付金具Ｃ全部の平面図
【図１４】図１２における取付金具Ｃ全部の正面図
【図１５】竪平葺屋根の斜視図
【図１６】図１５における基礎取付金具の取付状態図
【図１７】図１６におけるその後の基礎取付金具の取付状態図
【図１８】図１７における取付金具Ａの取付状態図
【図１９】図１８における取付金具Ａ全部の斜視図
【図２０】図１８における取付金具Ａ全部の平面図
【図２１】図１８における取付金具Ａ全部の正面図
【図２２】図１８における取付金具Ａ全部の側面図
【図２３】瓦棒葺屋根の斜視図
【図２４】図２３における基礎取付金具の取付状態図
【図２５】図２３におけるその後の基礎取付金具の取付状態図
【図２６】図２５における取付金具Ａの取付状態図
【図２７】図２６における取付金具Ａ全部の斜視図
【図２８】図２６における取付金具Ａ全部の平面図
【図２９】図２６における取付金具Ａ全部の正面図
【図３０】図２６における取付金具Ａ全部の側面図
【発明を実施するための形態】
【００１５】
まず横葺屋根の建物においては、横葺屋根面への基礎手段となる取付部材の取付けによって、当該取付部材上における各種の必要部材の設置を安全かつ確実に行うことができるようになり、当該屋根において使用者の目的を達成することができるから、その設置作業を問題なく実行することができるのである。
【００１６】
また、竪平葺屋根の建物においても、同葺き屋根面への基礎手段となる所定の取付部材の取付けによって、当該取付部材上における各種の必要部材の設置を安全かつ確実に行うことができるようになり、当該屋根において使用者の目的を達成することができるから、その設置作業を問題なく実行することができるのである。
【００１７】
さらに、瓦棒屋根の建物においても、同屋根面への基礎手段となる所定の取付部材の取付けによって、当該取付部材上において各種の必要部材の設置を安全かつ確実に行うことができるようになり、当該屋根における使用者の目的を達成することができるから、その設置作業を問題なく実行することができるのである。
【００１８】
また、その他の構成態様から成る屋根の建物においても、同屋根面への基礎手段となる所定の取付部材の取付けによって、当該取付部材上において各種の必要部材の設置を安全かつ確実に行うことができるようになり、当該屋根上における使用目的を達成することができるのである。
【実施例】
【００１９】
第１に、まず横葺屋根ａにおいて、任意の設置物を設置するときの基礎的な手段について説明する。（図１参照）
【００２０】
１，１は横葺屋根の適当位置に左右間隔をおいて取付ける部材で、この取付部材は横葺屋根部の法面の上下方向に挟合するようになる。（図２参照）
【００２１】
２，２は前記両取付部材１，１の中央部に底面部から上面部を超えて突設した雄螺子で、この雄螺子は後記支板４を嵌通しその上面部において雌螺子３，３を締結するようになる。（図３参照）
【００２２】
４は前記両取付部材１，１の上方部間に架設する支板で、この支板の長手方向の一端部には曲折部４’を設け、この曲折部を前記取付部材１，１の背面部に当接抑止して、支板４と取付部材１とを一体化するようにする。（図３参照）
【００２３】
次に、前記横葺屋根に両取付部材１，１の上方部に架設した支板４上に設置する設置物の取付手段について説明する。
【００２４】
５は前記横葺屋根の横葺部を１つ飛びの間隔をおいて設置した基台材で、この基台材の左右両曲折側部５’，５’の上端部には凹凸面６，６を構成する。（図４〜図６参照）
【００２５】
７，７，７，７は前記基台材５を挟んで各支板４，４の左右両側部上に設置する冂形材で、この冂形材の左右両側部の下側部にそれぞれ１個の凹溝８，８，８，８を設け、この凹溝は前記基台材５の左右側上端部の凹凸面６，６の各一つに係合するようにする。（図５・図７参照）
【００２６】
前記基台材５を定位置に固定するためには、まず基台材の左右両側部の上端部に設けた凹凸面６，６の一つに対し、臨設する横葺屋根面の上下左右両側部の支板４，４，４，４上に設けた冂形材７，７，７，７中の１個の凹溝８，８，８，８をそれぞれ係合した後、雄螺子２，２，２，２上の雌螺子３，３，３，３を緊締して固定することになる。かくすることによって、横葺屋根板ａに挟合する取付部材１，１，１，１と基台材５，５，５，５とは雄雌螺子２，３，２，３，２，３，２，３による緊締を介して確実に固定するようになる。（図５・図８参照）
【００２７】
９は前記基台材５の上面部適所に螺子１８にて設置する凵形の支持部材で、この支持部材の左右両側部には水平孔１０，１０と垂直孔１１，１１とを設け、左右水平孔間には長螺子１２を、左右垂直孔間には長螺子１３をそれぞれ架設する。（図５・図７参照）
【００２８】
この両長螺子１２，１３は、前記支持部材９間に配置する支管材１４の下側部を横架するが、この支管材には例えばＴＶアンテナの支持杆を嵌挿し、適当角度において螺締固定するようにする。（図５・図７・図８参照）
【００２９】
１５，１５は前記支管材１４の上下部に設ける螺子で、この螺子は支管材を任意角度に調整した位置で嵌挿した支杆等を固定するようにする。（図７・図８参照）
【００３０】
１６，１６は前記支持部材９の左右両側部の外部に付設した補助材で、この補助材は螺子１７，１７にて基台材５に固定する。（図５・図７参照）
【００３１】
１９は前記基台材５上の任意位置に底面部を螺子２２，２２にて固定した左右側板２０，２０の一部に水平溝部２１，２１を設けた取付板材で、この取付板材の前記水平溝部間には比較的長尺の雪止め用Ｌ形材を嵌挿するようにする。（図９・図１０・図１１参照）
【００３２】
２３は前記基台材５上の任意位置に螺子２４，２４にて締着した底板２５に立設した角管材で、この角管材は屋根面上に複数設置して大看板等を取付けるために使用する。（図１２・図１３・図１４参照）
【００３３】
第２に、まず竪平葺屋根ｂにおいて、任意の設置物を設置する場合の基礎的な手段について説明する。（図１５参照）
【００３４】
３１，３１は竪平葺屋根の法面の上下適当位置に間隔をおいて取付ける冂形の部材で、この取付部材は竪平屋根部に固定するようになる。（図１６参照）
【００３５】
３２，３２は前記法面の上下位置に取付く取付部材３１，３１間に架設する支板で、この支板に設けた通孔３３，３３には前記取付部材の上面部に突出する雄螺子３４，３４を設け、この雄螺子は前記支板３２を嵌通してその上面部で雌螺子３５，３５を締結する。（図１７参照）
【００３６】
次に、前記竪平葺屋根の取付部材１，１の上部分に架設した支板３２，３２上に設置する設置物の取付手段について説明することになるが、この取付手段は、前記横葺屋根ａの取付手段と同一の構成から成るものであるから、その構成の説明は図４乃至図８について説明した箇所の記載を参照されたく、ここでの説明は省略する。
【００３７】
ただ相異するのは、図５に示した基台材５上の凵形支持部材９についての取付方向を９０°位置変更している点であり、これは支持部材９に設置する支管材１４に嵌挿する部材の種類の違いを考慮している場合であり、図１９に例示しているものである。
【００３８】
第３に、まず瓦棒葺屋根ｃにおいて、任意の設置物を設置する場合の基礎的な手段について説明する。（図２３参照）
【００３９】
３６，３６は瓦棒葺屋根の法面の上下適当位置に間隔をおいて取付ける冂形の部材で、この取付部材は瓦棒葺屋根部に固定するようになる。（図２４参照）
【００４０】
３７，３７は前記法面の上下位置に取付く取付部材３６，３６間に架設する支板で、この支板に設けた通孔３８，３８には前記取付部材の上面部に突設する雄螺子３９，３９を設け、この雄螺子は前記支板３７を嵌通しその上面部で雌螺子４０，４０を締結する。（図２５参照）
【００４１】
次に、瓦棒葺屋根の取付部材３６，３６の上部分に架設した支板３７，３７上に設置する設置物の取付手段について説明することになるが、この取付手段は、前記横葺屋根の取付手段と同一の構成から成るものであるから、その構成の説明は図４乃至図８について説明した箇所の記載を参照されたく、ここでの説明は省略する。（図２６・図２７・図２８・図２９・図３０参照）
【符号の説明】
【００４２】
１，１，１，１              取付部材  
２，２，２，２              雄螺子
３，３，３，３              雌螺子
４，４，４，４              支板
４’，４’，４’，４’      支板の曲折部
５，５，５，５              基台材
５’，５’                  基台材の曲折側部
６，６                      凹凸面
７，７，７，７              冂形材
８，８，８，８              凹溝
９                          凵形支持部材
１０，１０                  水平孔
１１，１１                  垂直孔
１２                        長螺子
１３                        長螺子
１４                        支管材
１５，１５                  螺子
１６，１６                  補助材
１７，１７                  螺子
１８                        螺子
１９                        取付板材
２０，２０                  左右側板
２１，２１                  水平溝部
２２，２２                  螺子
２３                        角管材
２４，２４                  螺子
２５                        底板
３１，３１                  竪平葺屋根部への冂形取付部材
３２，３２                  支板
３３，３３                  通孔
３４，３４                  雄螺子
３５，３５                  雌螺子
３６，３６                  瓦棒葺屋根部への冂形取付部材
３７，３７                  支板
３８，３８                  通孔
３９，３９                  雄螺子
４０，４０                  雌螺子
ａ                          横葺屋根
ｂ                          竪平葺屋根
ｃ                          瓦棒葺屋根
【図１】
2019082044.tif 000003
【図２】
2019082044.tif 000004
【図３】
2019082044.tif 000005
【図４】
2019082044.tif 000006
【図５】
2019082044.tif 000007
【図６】
2019082044.tif 000008
【図７】
2019082044.tif 000009
【図８】
2019082044.tif 000010
【図９】
2019082044.tif 000011
【図１０】
2019082044.tif 000012
【図１１】
2019082044.tif 000013
【図１２】
2019082044.tif 000014
【図１３】
2019082044.tif 000015
【図１４】
2019082044.tif 000016
【図１５】
2019082044.tif 000017
【図１６】
2019082044.tif 000018
【図１７】
2019082044.tif 000019
【図１８】
2019082044.tif 000020
【図１９】
2019082044.tif 000021
【図２０】
2019082044.tif 000022
【図２１】
2019082044.tif 000023
【図２２】
2019082044.tif 000024
【図２３】
2019082044.tif 000025
【図２４】
2019082044.tif 000026
【図２５】
2019082044.tif 000027
【図２６】
2019082044.tif 000028
【図２７】
2019082044.tif 000029
【図２８】
2019082044.tif 000030
【図２９】
2019082044.tif 000031
【図３０】
2019082044.tif 000032